(57)【要約】【課題】緊急時に、ユーザが携帯電話機を手放さざるを得なかったり、携帯電話機が破壊されたりした場合であっても、ユーザが緊急事態である旨を報知することができる携帯電話機を提供する。【解決手段】本体部と、この本体部に着脱可能な防犯キー部とを備えた携帯電話機であって、前記防犯キー部は、前記本体部から切り離されたと判断された際にブザーを発生するブザー発生手段を有し、前記本体部は、前記防犯キーが切り離されたと判断された際に位置情報を取得する取得手段（Ｓ１０６）、及び、この取得手段により取得された位置情報を送信する送信手段（Ｓ１０７）を有する。【選択図】  図６
2008172451.tif 000002
【特許請求の範囲】
【請求項１】
本体部と、この本体部に着脱可能な防犯キー部とを備えた携帯電話機であって、
前記防犯キー部は、前記本体部から切り離されたと判断された際にブザーを発生するブザー発生手段を有し、
前記本体部は、前記防犯キーが切り離されたと判断された際に位置情報を取得する取得手段、及び、この取得手段により取得された位置情報を送信する送信手段を有することを特徴とする携帯電話機。
【請求項２】
本体部と、この本体部に着脱可能な防犯キー部とを備えた携帯電話機であって、
前記防犯キー部は、前記本体部から切り離されたと判断された際に位置情報を取得する取得手段、及び、前記取得手段により取得された位置情報を送信する送信手段を有し、
前記本体部は、前記防犯キーが切り離されたと判断された際にブザーを発生するブザー発生手段を有することを特徴とする携帯電話機。
【請求項３】
本体部と、この本体部に着脱可能な防犯キー部とを備えた携帯電話機であって、
前記防犯キー部は、前記本体部から切り離されたと判断された際に、緊急事態である旨を示す緊急情報を本体部に対して送信する無線通信手段を有し、
前記本体部は、前記防犯キーが切り離されたと判断された際に位置情報を取得する取得手段、及び、この取得手段により取得された位置情報を送信する位置情報送信手段、及び、前記無線通信手段により送信された緊急情報を受信する受信手段と、この受信手段が受信した緊急情報を送信する緊急情報送信手段を有することを特徴とする携帯電話機。
【請求項４】
本体部と、この本体部に着脱可能な防犯キー部とを備えた携帯電話機であって、
前記防犯キー部は、前記本体部から切り離されたと判断された際に、緊急事態である旨を示す緊急情報を本体部に対して送信する無線通信手段を有し、
前記本体部は、前記防犯キーが切り離されたと判断された際に位置情報を取得する取得手段、及び、前記取得手段により取得された位置情報を送信する位置情報送信手段と
を有することを特徴とする携帯電話機。
【請求項５】
前記本体部は、更に
前記無線通信手段により送信された緊急情報を受信する受信手段と、
前記受信手段が受信した緊急情報に含まれる情報に基づいて当該緊急情報を送信する緊急情報送信手段と
を有することを特徴とする請求項４に記載の携帯電話機。
【発明の詳細な説明】
【技術分野】
【０００１】
本発明は、防犯キーが取り外された際に、本体と防犯キーとがそれぞれ個別な処理を行う携帯電話機に関する。
【背景技術】
【０００２】
近年、携帯電話機が急速に普及し、ユーザが携帯電話機を常時携帯するようになったのに伴い、携帯電話機は、音声通話やメールの送受信を行うために利用されるのみでなく、緊急時に簡単な操作で親や警察署等へ危険を知らせる防犯グッズとしても利用されるようになった。
【０００３】
例えば、緊急時に位置データを取得するとともに録音処理を行い、これらの位置データと録音データとを関連付けて記憶して、これらの位置データと録音データとをユーザの指示に基づいて遠隔地の記憶装置に送信する携帯端末が提案されている（特許文献１参照）。
【特許文献１】特開２００３−２４９９８１号公報
【発明の開示】
【発明が解決しようとする課題】
【０００４】
この携帯端末を用いると、緊急時に、ユーザが録音された録音データを予め指定された送信先に送信することにより緊急事態である旨を報知することができる。しかしながら、もしこの時、ユーザがこの携帯端末を手放さざるを得なかったり、またはこの携帯端末が破壊されたりした場合には、ユーザがこの携帯端末を用いて緊急事態である旨を報知することができなくなってしまう恐れがあった。
【０００５】
本発明は、上記課題を鑑みなされたものであり、緊急時に、ユーザが携帯電話機を手放さざるを得なかったり、携帯電話機が破壊されたりした場合であっても、ユーザが緊急事態である旨を報知することができる携帯電話機を提供することを目的とする。
【課題を解決するための手段】
【０００６】
上記課題を解決するために、本発明に係る携帯電話機は、本体部と、この本体部に着脱可能な防犯キー部とを備えた携帯電話機であって、前記防犯キー部は、前記本体部から切り離されたと判断された際にブザーを発生するブザー発生手段を有し、前記本体部は、前記防犯キーが切り離されたと判断された際に位置情報を取得する取得手段、及び、この取得手段により取得された位置情報を送信する送信手段を有することを特徴とする。
【発明の効果】
【０００７】
本発明によると、緊急時に、ユーザが携帯電話機を手放さざるを得なかったり、または携帯電話機が破壊されたりした場合であっても、ユーザが緊急事態である旨を報知することができる携帯電話機を提供することが可能となる。
【発明を実施するための最良の形態】
【０００８】
本発明に係る携帯電話機の実施形態について、添付図面を参照しながら説明する。
【０００９】
〔第１実施形態〕
本発明に係る携帯電話機の第１実施形態について、図１乃至図７を用いて説明する。
【００１０】
図１乃至図３に、携帯電話機１の一例として説明に用いている折り畳み型の携帯電話機の外観図を示す。図１［Ａ］は、携帯電話機１の約１８０度に見開いた状態の正面図であり、図１［Ｂ］は、携帯電話機１の見開いた状態の側面図である。また、図２［Ａ］は、携帯電話機１の折り畳んだ状態の正面図であり、図２［Ｂ］は、携帯電話機１の折り畳んだ状態の側面図である。図３［Ａ］乃至図３［Ｃ］は、携帯電話機１の折り畳んだ状態の背面図である。
【００１１】
図１及び図２に示すように、携帯電話機１は、中央のヒンジ部２１を挟むように第１の筐体２２と第２の筐体２３とがヒンジ結合されており、ヒンジ部２１を介して図１のＸ方向に折り畳み可能に形成される。携帯電話機１の内部の所定の位置には、送受信用のアンテナ（後述する図４のアンテナ５７）が設けられており、内蔵されたアンテナ５７を介して基地局（図示せず）との間で電波を送受信する。
【００１２】
第１の筐体２２の中央部には、メインディスプレイ２５が設けられている。このメインディスプレイ２５には、例えば、現在のアンテナ５７の感度のレベルを示すアンテナピクト、携帯電話機１の現在の電池残量を示す電池ピクト、現在の時刻等が表示される。
【００１３】
また、メインディスプレイ２５の上部の所定の位置にはスピーカ２８が設けられており、これにより、ユーザが音声を聞くことが可能となる。
【００１４】
第１の筐体２２には、その表面に「０」乃至「９」の数字キー、発呼キー、リダイヤルキー、終話・電源キー、クリアキー、及び電子メールキー等の操作キー２４が設けられており、ユーザは操作キー２４を用いて各種指示を入力することができる。
【００１５】
第１の筐体２２には、操作キー２４として上部に十字キーと確定キーが設けられており、ユーザが十字キーを上下左右方向に操作することにより当てられたカーソルを上下左右方向に移動させることができる。具体的には、第２の筐体２３に設けられたメインディスプレイ２５に表示されている電話帳リストや電子メールのスクロール動作、簡易ホームページのページ捲り動作および画像の送り動作などの種々の動作を実行する。
【００１６】
また、確定キーを押下することにより、種々の機能を確定することができる。例えば第１の筐体２２は、ユーザによる十字キーの操作に応じてメインディスプレイ２５に表示された電話帳リストの複数の電話番号の中から所望の電話番号が選択され、確定キーが第１の筐体２２の内部方向に押圧されると、選択された電話番号を確定して電話番号に対して発呼処理を行う。
【００１７】
さらに、第１の筐体２２には、十字キーと確定キーの左隣に電子メールキーが設けられており、電子メールキーが第１の筐体２２の内部方向に押圧されると、メールの送受信機能を呼び出すことができる。十字キーと確定キーの右隣には、ブラウザキーが設けられており、ブラウザキーが第１の筐体２２の内部方向に押圧されると、Ｗｅｂページのデータを閲覧することが可能となる。なお、十字キーと確定キーの左右隣に設けられた電子メールキーおよびブラウザキーは、メインディスプレイ２５に表示される画面により例えば「Ｙｅｓ」や「Ｎｏ」等の種々の機能をもつことが可能であるため、それぞれ、ソフト１キー及びソフト２キーと呼ばれる。
【００１８】
また、第１の筐体２２には、操作キー２４の下部にマイクロフォン２６が設けられており、マイクロフォン２６によって通話時のユーザの音声を集音する。また、第１の筐体２２には、携帯電話機１の操作を行うサイドキー２７が設けられている。
【００１９】
なお、第１の筐体２２は、背面側にバッテリパック３５が挿着されており、終話・電源キーがオン状態になると、バッテリパック３５から各回路部に対して電力が供給されて動作可能な状態に起動する。
【００２０】
ところで、第１の筐体２２には、第１の筐体２２の下部の所定の位置に抜差自在なメモリカードを挿着するためのメモリカードスロット（図示せず）が設けられており、メモボタン（図示せず）が押下されるとメモリカード５８に通話中の相手の音声を記録したり、ユーザの操作に応じて電子メール、簡易ホームページ、後述するＣＣＤカメラ３０で撮像した画像を記録したりすることができる。
【００２１】
ここで、メモリカード５８は、ＮＡＮＤ型フラッシュメモリカードやＮＯＲ型フラッシュメモリカードなどに代表されるフラッシュメモリカードの一種であり、小型薄型形状のプラスチックケース内に電気的に書換えや消去が可能な不揮発性メモリであるフラッシュメモリ素子を格納したものであり、１０ピン端子を介して画像や音声、音楽等の各種データの書き込み及び読み出しが可能となっている。携帯電話機１は、このようなメモリカードを挿着可能に構成されているために、メモリカード５８を介して他の電子機器との間でデータの共有化を図ることができる。
【００２２】
また、第１の筐体２２と第２の筐体２３の内部の所定の位置には、携帯電話機１の開閉状態を検知するための磁気センサ２９ａ乃至２９ｄが設けられている。
【００２３】
第１の筐体２２には、ＣＣＤカメラ３０が設けられており、これにより、ユーザが所望の撮影対象を撮像することが可能となる。ＣＣＤカメラ３０の横には、ＬＥＤ３６が設けられている。またＣＣＤカメラ３０の下部には、サブディスプレイ３１が設けられており、現在のアンテナ５７の感度のレベルを示すアンテナピクト、携帯電話機１の現在の電池残量を示す電池ピクト、現在の時刻などが表示される。
【００２４】
また、第２の筐体２３の背面部に、防犯キー３４が着脱自在に装着される防犯キーガイド部３３が設けられている。例えば、防犯キーガイド部３３が第２の筐体２３の表面において凹状に形成され、防犯キー３４が、この凹状の防犯キーガイド部３３の形状に合致する形状に形成されている。また、防犯キー３４は、例えば防犯キーガイド部３３に対してスライド自在に着脱される。図３［Ａ］は防犯キー３４が装着された状態を示す図、図３［Ｂ］は防犯キー３４が切り離される途中の状態を示す図、図３［Ｃ］は防犯キー３４が完全に切り離された状態を示す図である。また、図４はこの防犯キー３４の外観図である。防犯キー３４は、表面にＬＥＤ３４ａを備えている。
【００２５】
図５は、携帯電話機１の機能構成図である。携帯電話機１は、図５に示すように、主制御部４１、記憶部４２、電源回路部４３、操作入力制御４４、ＬＣＤ制御部４５、カメラインターフェース４６、画像エンコーダ４７、音声コーディック４８、変復調回路部４９、多重化分離部５０、画像デコーダ５１、無線ＬＡＮモジュール５２、記録再生部５３、防犯制御部５４がバス５５によって相互に接続されて構成される。
【００２６】
また、防犯キー３４は、警報制御部６０、ブザー発生部６１、ＬＥＤ発光部６２、電源回路部６３がバス６５によって相互に接続されるとともに、警報制御部６０が防犯制御部５４に接続されて構成される。
【００２７】
主制御部４１は、様々なデータ処理や演算を行うＣＰＵ（Ｃｅｎｔｒａｌ  Ｐｒｏｃｅｓｓｉｎｇ  Ｕｎｉｔ）からなる。記憶部４２は、主制御部４１が行う処理プログラム等を格納するＲＯＭ（Ｒｅａｄ  Ｏｎｌｙ  Ｍｅｍｏｒｙ）やハードディスク等の磁気的な記憶装置、主制御部４１が処理を行う際に使用するデータを一時的に記憶するＲＡＭ（Ｒａｎｄｏｍ  Ａｃｃｅｓｓ  Ｍｅｍｏｒｙ）等の電気的な記憶装置とからなる。また、主制御部４１には、現在の日付と時刻を計測するタイマが内蔵されている。
【００２８】
電源回路部４３は、ユーザの操作キー２４による入力により電源のオン／オフ状態を切り替え、電源がオン状態の場合には電源（バッテリパック３５等）から各部に対して電力を供給して、携帯電話機１を動作可能にする。
【００２９】
操作入力制御部４４は、操作キー２４によって入力されたデータを主制御部４１に伝送する。
【００３０】
ＬＣＤ制御部４５は、主制御部４１の制御に基づいて、画像データをメインディスプレイ２５またはサブディスプレイ３１に表示する処理を行う。
【００３１】
カメラインターフェース４６は、ＣＣＤカメラ３０で撮影した画像信号をＬＣＤ制御部４５を介してメインディスプレイ２５またはサブディスプレイ３１に表示する。
【００３２】
画像エンコーダ４７は、主制御部４１の制御に基づいて、ＣＣＤカメラ３０が入力した画像信号を、例えばＭＰＥＧ−４（Ｍｏｖｉｎｇ  Ｐｉｃｔｕｒｅ  Ｅｘｐｅｒｔｓ  Ｇｒｏｕｐ−４）等の所定の符号化方式によって圧縮符号化して画像データを作成したり、符号化された画像データを他の符号化方式に変換して新たな画像データを作成したりする。
【００３３】
音声コーディック４８は、主制御部４１の制御に基づいて、マイクロフォン２６で集音した音声からディジタル音声信号を生成する。変復調回路部４９は、音声通話の際に、音声コーディック４８からディジタル音声信号を入力して、送受信回路部５６に伝送する。送受信回路部５６はこのディジタル音声信号をアンテナ５７を介して送信する。
【００３４】
また、変復調回路部４９は、送受信回路部４６がアンテナ５７を介して受信したディジタル音声信号を入力する。音声コーディック４８は、音声通話の際に、このディジタル音声信号を取得してアナログ音声信号に変換し、スピーカ２８から音声として出力する。
【００３５】
多重化分離部５０は、複数の信号を重ねて多重化信号を生成する多重化処理、及び、多重化信号を複数の信号に分離する分離処理を行う。
【００３６】
例えば、多重化分離部５０は、変復調回路部４９から入力した多重化動画像信号を、符号化画像信号と音声信号とに分け、メインバスＢを介して符号化画像信号を画像デコーダ５１に伝送するとともに、音声信号を音声コーディック４８に伝送する。
【００３７】
また、多重化分離部５０は、画像エンコーダ４７から入力した画像信号と音声コーディックから入力した音声信号とを所定の方式で多重化し、その結果得られる多重化信号を、変復調回路部４９に伝送する。
【００３８】
画像デコーダ５１は、送受信回路部５６から符号化画像信号を入力し、この符号化画像信号を所定の符号化方式に対応した復号化方式で復号することにより再生動画像信号を生成し、生成された再生動画像信号をＬＣＤ制御部４５に伝送する。ＬＣＤ制御部４５は、この生成動画信号をメインディスプレイ２５またはサブディスプレイ３１に表示する。
【００３９】
無線ＬＡＮモジュール５２は、内蔵されたアンテナ（図示せず）を介して、ＩＥＥＥ８０２．１１ａ／ｂ／ｇ等の所定の規格に準拠した無線ＬＡＮ通信を行う。
【００４０】
記録再生部５３は、メモリカード５８等の外部メモリに対するインタフェースを備え、このメモリカード５８等に対して書き込み処理や読み込み処理を行う。
【００４１】
防犯制御部５４は、防犯キー３４の防犯キーガイド部３３に対する着脱を検知し、防犯キー３４が防犯キーガイド部３３から切り離された（抜かれた）場合に、主制御部４１に防犯処理を開始させるための信号を送信する。この信号を受信した主制御部４１は、防犯処理を実行する。
【００４２】
また、一旦抜かれた防犯キー３４が再び防犯キーガイド部３３に装着された際に、主制御部４１に対して防犯機能を終了させるための信号を送信する。主制御部４１は、この信号を受信すると、ユーザに特定の処理を行うよう指示を出し、この特定の処理が行われた場合に、防犯機能を終了させる（防犯モードの設定を解除する）。なお、特定の処理は、例えば操作キー２４を介したパスワードの入力処理や、所定のアプリケーションプログラムを実行するＰＣ（Ｐｅｒｓｏｎａｌ  Ｃｏｍｐｕｔｅｒ）等の外部装置からの遠隔処理等である。
【００４３】
警報制御部６０は、様々なデータ処理や演算処理を行うＣＰＵや、ＣＰＵが処理を行うための作業領域となるＲＡＭからなる。防犯キー３４の警報制御部６０は、通常時（防犯モードが起動していない時）は、携帯電話機１の本体の防犯制御部５４に電気的に接続されている。
【００４４】
ブザー発生部６１は、警報制御部６０からの指示に従ってブザー音を発生したりブザー音の発生を停止したりする。ＬＥＤ発光部６２は、警報制御部６０からの指示に従ってＬＥＤ３４ａを発光させたり消灯させたりする。
【００４５】
電源回路部６３は、電源（電池等）から防犯キー３４の各部に対して電力を供給して、防犯キー３４を動作可能にする。
【００４６】
主制御部４１は、電子メール等のデータを送信する場合、操作キー２４の操作によって入力された電子メールのテキストデータを操作入力制御部４４を介して主制御部４１に創出する。主制御部４１は、テキストデータを変復調回路部４９でスペクトラム拡散処理し、送受信回路部５６でディジタルアナログ変換処理及び周波数変換処理を施した後にアンテナ５７を介して送信する。これがメール送信処理である。
【００４７】
また、主制御部４１は、電子メール等のデータを受信する場合、アンテナ５７を介して受信した受信信号を変復調回路部４９でスペクトラム逆拡散処理して元のテキストデータを復元した後、ＬＣＤ制御部４５を介してメインディスプレイ２５またはサブディスプレイ３１にこのテキストデータを受信メールとして表示する。その後、主制御部４１は、ユーザの操作に応じて受信メールを記憶部４２または記録再生部５４を介してメモリカード５８に記録する。
【００４８】
さらに、携帯電話機１は、防犯機能を備えており、緊急時に防犯機能が起動した際に、ブザーを発生させたりＬＥＤ３４ａ、３６を発光させたりして緊急事態である旨を周囲に知らせるとともに、緊急事態である旨をメールで送信する防犯処理を行う。主制御部４１は、防犯キー３４が防犯キーガイド部３３から抜かれた場合に、この防犯機能を起動させる。
【００４９】
なお、主制御部４１が防犯処理を実行するための防犯処理プログラム等の種々の処理プログラムは、記憶部４２に予め記憶されている。また、これらの処理プログラムは、送受信回路部４６を介して受信することにより、記憶部４２にインストールされても良い。さらに、これらの処理プログラムは、メモリカード５８に記録されていたものを、記録再生部５４によって読み出されて記憶部４２にインストールされても良い。
【００５０】
携帯電話機１の記憶部４２には、防犯処理を行う際に使用する防犯情報が記憶されている。防犯情報は、緊急時の音声通話の送信先の電話番号を示す音声通話送信先情報と、緊急時のメールの送信先のメールアドレスを示すメール送信先情報と、緊急時に音声通話処理を行うか否かを示す音声通話機能設定情報と、緊急時にメール送信処理を行うか否かを示すメール送信機能設定情報とを含んでいる。なお、音声通話機能設定情報や送信機能設定情報は、例えば、処理を行う場合に「Ｏｎ」、処理を行わない場合に「Ｏｆｆ」で表される。
【００５１】
また、警報制御部６０が防犯処理を実行するための防犯処理プログラムやこれを実行するために必要となるデータ等は、この警報制御部６０に予め組み込まれている。
【００５２】
ここで、携帯電話機１において防犯キー３４が抜かれて防犯機能が起動した際に、携帯電話機１の本体が防犯処理を行う手順を、図６に示すフローチャートに基づいて説明する。なお、例えば「ステップＳ１０１」を「Ｓ１０１」のように、「ステップ」を省略して説明する。
【００５３】
まず、携帯電話機１の主制御部４１は、ユーザにより防犯キー３４が切り離されたか否かを判断する（Ｓ１０１）。防犯キー３４が切り離されていない場合（Ｓ１０１のＮｏ）は、主制御部４１はそのまま待機する。
【００５４】
防犯キー３４が切り離された場合（Ｓ１０１のＹｅｓ）は、主制御部４１は、この携帯電話機１を防犯モードに設定することにより、防犯機能を起動させる（Ｓ１０２）。
【００５５】
主制御部４１は、防犯情報の音声通話機能設定情報が「Ｏｎ」であるか否かを判断する（Ｓ１０３）。そして、主制御部４１は、音声通話機能設定情報が「Ｏｎ」である場合のみ、防犯情報の音声通話送信先で指定された送信先に対して音声発信を行い、情報音声通話処理を行う（Ｓ１０４）。
【００５６】
主制御部４１は、メール送信機能設定情報が「Ｏｎ」であるか否かを判断する（Ｓ１０５）。メール送信機能設定情報が「Ｏｎ」であった場合（Ｓ１０５のＹｅｓ）は、主制御部４１は、近隣の基地局（図示せず）から位置情報を取得する（Ｓ１０６）。また、主制御部４１は、Ｓ１０６で取得した位置情報をメールに添付して、防犯情報のメール送信先情報で指定された送信先に送信する（Ｓ１０７）。この際、記憶部４２が、緊急時に送信されるメールの内容を予め記憶しておくと良い。
【００５７】
主制御部４１は、携帯電話機１の本体が防犯モードに設定されているか否かを判断する（Ｓ１０８）。これは、ユーザが誤って防犯キー３４を抜いてしまい、ユーザにより防犯モードが解除された場合や、緊急状態が解消されて、ユーザにより防犯モードが解除された場合を考慮した処理である。
【００５８】
携帯電話機１の本体が防犯モードに設定されている場合（Ｓ１０８のＹｅｓ）は、主制御部４１は、再びＳ１０３乃至Ｓ１０８の防犯処理を行う。また、防犯モードに設定されていない場合（Ｓ１０８のＮｏ）、すなわち携帯電話機１の本体の防犯モードが解除された場合は、主制御部４１は、防犯処理を終了する。
【００５９】
このようにして、防犯キー３４が抜かれた場合に、携帯電話機１により緊急事態である旨を知らせるための音声通話処理やメール送信処理が行われる。
【００６０】
次に、携帯電話機１において防犯キー３４が抜かれて防犯機能が起動した際に、携帯電話機１の防犯キー３４が防犯処理を行う手順を、図７に示すフローチャートに基づいて説明する。
【００６１】
まず、防犯キー３４の警報制御部６０は、携帯電話機１の本体から切り離されたか否かを判断する（Ｓ２０１）。切り離されていない場合（Ｓ２０１のＮｏ）は、警報制御部６０は、防犯処理を行わずにそのまま待機する。
【００６２】
切り離された場合（Ｓ２０１のＹｅｓ）は、警報制御部６０は、防犯キー３４の電源をＯｎにし、防犯機能を起動させる（Ｓ２０２）。また、警報制御部６０は、この防犯キー３４を防犯モードに設定する（Ｓ２０３）。
【００６３】
警報制御部６０は、ブザー発生部６１にブザーを継続的に発生させる（Ｓ２０４）。また警報制御部６０は、ＬＥＤ発光部６２によりＬＥＤ３４ａを継続的に発光させる（Ｓ２０５）。
【００６４】
警報制御部６０は、防犯キー３４が防犯モードに設定されているか否かを判断する（Ｓ２０６）。これは、Ｓ１０８と同様にユーザが誤って防犯キー３４を抜いてしまい、ユーザにより防犯キー３４の防犯モードが解除された場合や、緊急状態が解消されて、ユーザにより防犯モードが解除された場合を考慮した処理である。
【００６５】
防犯モードに設定されている場合（Ｓ２０６のＹｅｓ）は、警報制御部６０は、Ｓ２０６のブザーを発生させる処理及びＳ２０７のＬＥＤ３４ａを発光させる処理を行ったまま待機する。
【００６６】
防犯モードに設定されていない場合（Ｓ２０６のＮｏ）、すなわち防犯キー３４の防犯モードが解除された場合は、警報制御部６０は、ブザー発生部６１がＳ２０４で発生させたブザーを停止させる（Ｓ２０７）。また、警報制御部６０は、ＬＥＤ発光部６２がＳ２０５で発光させたＬＥＤ３４ａを消灯により停止させる（Ｓ２０８）。
【００６７】
最後に、警報制御部６０は、電源をＯｆｆにし、防犯処理を終了する（Ｓ２０９）。
【００６８】
このようにして、防犯キー３４が携帯電話機１の本体から抜かれた場合に、防犯キー３４により緊急事態である旨を周囲に知らせるためのブザー発生処理やＬＥＤ発光処理が行われる。
【００６９】
第１実施形態の携帯電話機１によると、この携帯電話機１の本体及び防犯キー３４の各々の防犯処理により、例えばユーザが犯罪等に巻き込まれて犯人に携帯電話機１を奪われたり壊されたりする恐れがあった際に、防犯キー３４がブザーを発生したりＬＥＤ３４ａを発光したりすることにより、犯人の注意を防犯キー３４に集中させ、この間に携帯電話機１の本体が緊急事態である旨を音声通話やメール送信で報知することが可能となる。
【００７０】
なお、ステップＳ１０６の処理が取得手段であり、ステップＳ１０７の処理が送信手段である。また、ステップＳ２０４の処理がブザー発生手段である。
【００７１】
〔第２実施形態〕
本発明に係る携帯電話機の第２実施形態を、図８乃至図１０に基づいて説明する。なお、第１実施形態と同一の構成には同一の符号を付し、重複する説明を省略する。また、第２実施形態の携帯電話機１Ａの外観は、第１実施形態の携帯電話機１と同様であるため、説明を省略する。
【００７２】
図８は、第２実施形態の携帯電話機１Ａの機能構成図である。携帯電話機１Ａは、図８に示すように、主制御部４１、記憶部４２、電源回路部４３、操作入力制御４４、ＬＣＤ制御部４５、カメラインターフェース４６、画像エンコーダ４７、音声コーディック４８、変復調回路部４９、多重化分離部５０、画像デコーダ５１、無線ＬＡＮモジュール５２、記録再生部５３、防犯制御部５４、ブザー発生部６１、ＬＥＤ発光部６２がバス５５によって相互に接続されて構成される。
【００７３】
また、防犯キー３４Ａは、警報制御部６０、電源回路部６３、緊急通信部６４がバス６５によって相互に接続されるとともに、警報制御部６０が防犯制御部５４に接続されて構成される。
【００７４】
ブザー発生部６１は、主制御部４１の指示に基づいてブザーを発生させたりブザーを停止させたりする。また、ＬＥＤ発光部６２は、主制御部４１の指示に基づいてＬＥＤ３６を発光させたり消灯させたりする。
【００７５】
緊急通信部６４は、ネットワーク通信の際のインタフェースを備えていて、例えば無線ＬＡＮ等の各種の通信方法により、防犯キー３４Ａに内蔵されたアンテナ（図示せず）を介してデータの送信を行う。
【００７６】
第１実施形態では、ブザー発生部６１及びＬＥＤ発光部６２は携帯電話機１の防犯キー３４に備えられていたが、第２実施形態では、ブザー発生部６１及びＬＥＤ発光部６２は携帯電話機１Ａの本体に備えられている。
【００７７】
すなわち、第２実施形態の携帯電話機１Ａでは、この携帯電話機１Ａの本体で緊急事態である旨をブザーの発生やＬＥＤ３６の発光により周囲に報知するともに、防犯キー３４Ａで緊急事態である旨を音声通話やメール送信により知らせる。
【００７８】
携帯電話機１Ａにおいて防犯キー３４Ａが抜かれて防犯機能が起動した際に、携帯電話機１Ａの本体が防犯処理を行う手順を、図９に示すフローチャートに基づいて説明する。
【００７９】
まず、主制御部４１は、防犯キー３４Ａが切り離されたか否かを判断する（Ｓ３０１）。切り離されていない場合（Ｓ３０１のＮｏ）は、主制御部４１は、防犯処理を行わずにそのまま待機する。
【００８０】
切り離された場合（Ｓ３０１のＹｅｓ）は、主制御部４１は、この携帯電話機１Ａの本体を防犯モードに設定する（Ｓ３０２）。主制御部４１は、ブザー発生部６１にブザーを継続的に発生させる（Ｓ３０３）。また主制御部４１は、ＬＥＤ発光部６２によりＬＥＤ３６を継続的に発光させる（Ｓ３０４）。
【００８１】
主制御部４１は、この携帯電話機１Ａの本体が防犯モードに設定されているか否かを判断する（Ｓ３０５）。防犯モードに設定されている場合（Ｓ３０５のＹｅｓ）は、主制御部４１は、Ｓ３０３のブザーを発生させる処理及びＳ３０４のＬＥＤ３６を発光させる処理を行ったまま待機する。
【００８２】
防犯モードに設定されていない場合（Ｓ３０５のＮｏ）、すなわち携帯電話機１Ａの本体の防犯モードが解除された場合は、主制御部４１は、ブザー発生部６１がＳ３０３で発生させたブザーを停止させる（Ｓ３０６）。また、主制御部４１は、ＬＥＤ発光部６２がＳ３０４で発光させたＬＥＤ３６を消灯により停止させる（Ｓ３０７）。これにより、携帯電話機１Ａの本体による防犯処理が終了する。
【００８３】
このようにして、防犯キー３４Ａが携帯電話機１Ａの本体から抜かれた場合に、携帯電話機１Ａにより緊急事態である旨を周囲に知らせるためのブザー発生処理やＬＥＤ発光処理が行われる。
【００８４】
次に、携帯電話機１Ａにおいて防犯キー３４Ａが抜かれた際に、携帯電話機１Ａの防犯キー３４Ａが防犯処理を行う手順を、図１０に示すフローチャートに基づいて説明する。
【００８５】
まず、防犯キー３４Ａの警報制御部６０は、防犯キー３４Ａが携帯電話機１Ａの本体から切り離されたか否かを判断する（Ｓ４０１）。携帯電話機１Ａから切り離されていない場合（Ｓ４０１のＮｏ）は、警報制御部６０はそのまま待機する。
【００８６】
携帯電話機１Ａから切り離された場合（Ｓ４０１のＹｅｓ）は、警報制御部６０は電源をＯｎにし、防犯キー３４Ａの防犯機能を起動させる（Ｓ４０２）。また警報制御部６０は、この防犯キー３４Ａを防犯モードに設定する（Ｓ４０３）。
【００８７】
警報制御部６０は、近隣の基地局（図示せず）から位置情報を取得する（Ｓ４０４）。また、警報制御部６０は、Ｓ４０４で取得した位置情報をメールに添付して、予めこの警報制御部６０に記憶されているメール送信先に送信する（Ｓ４０５）。この際、警報制御６０には、緊急時に送信されるメールの内容が予め記憶されていると良い。
【００８８】
警報制御部６０は、防犯キー３４Ａが防犯モードに設定されているか否かを判断する（Ｓ４０６）。防犯キー３４Ａが防犯モードに設定されている場合（Ｓ４０６のＹｅｓ）は、警報制御部６０は、再びＳ４０４乃至Ｓ４０５の防犯処理を行う。また、防犯モードに設定されていない場合（Ｓ４０６のＮｏ）、すなわち防犯キー３４Ａの防犯モードが解除された場合は、警報制御部６０は、防犯処理を終了する。
【００８９】
このようにして、携帯電話機１Ａにおいて防犯キー３４Ａが抜かれた場合に、携帯電話機１Ａの防犯キー３４Ａにより緊急事態である旨を知らせるための音声通話処理やメール送信処理が行われる。
【００９０】
第２実施形態の携帯電話機１Ａによると、この携帯電話機１Ａの本体及び防犯キー３４Ａの各々の防犯処理により、例えばユーザが犯罪等に巻き込まれて犯人に携帯電話機１Ａを奪われたり壊されたりする恐れがあった際に、携帯電話機１Ａの本体がブザーを発生したりＬＥＤ３６を発光したりすることにより、犯人の注意を携帯電話機１Ａの本体に集中させ、この間に防犯キー３４Ａが緊急事態である旨を音声通話やメール送信で報知することが可能となる。
【００９１】
なお、ステップＳ３０６の処理がブザー発生手段である。また、ステップＳ４０４の処理が取得手段であり、ステップＳ４０５の処理が送信手段である。
【００９２】
〔第３実施形態〕
本発明に係る携帯電話機の第３実施形態を、図１１乃至図１３に基づいて説明する。なお、第１実施形態または第２実施形態と同一の構成には同一の符号を付し、重複する説明を省略する。また、第３実施形態の携帯電話機１Ｂの外観は、第１実施形態の携帯電話機１及び第２実施形態の携帯電話機１Ａと同様であるため、説明を省略する。
【００９３】
図１１は、第３実施形態の携帯電話機１Ｂの機能構成図である。携帯電話機１Ｂは、図１１に示すように、主制御部４１、記憶部４２、電源回路部４３、操作入力制御４４、ＬＣＤ制御部４５、カメラインターフェース４６、画像エンコーダ４７、音声コーディック４８、変復調回路部４９、多重化分離部５０、画像デコーダ５１、無線ＬＡＮモジュール５２、記録再生部５３、防犯制御部５４がバス５５によって相互に接続されて構成される。
【００９４】
また、防犯キー３４Ｂは、警報制御部６０、ブザー発生部６１、ＬＥＤ発光部６２、電源回路部６３、緊急通信部６４がバス６５によって相互に接続されるとともに、警報制御部６０が防犯制御部５４に接続されて構成される。
【００９５】
第３実施形態では、防犯ブザー部６１及びＬＥＤ発光部６２は、第１実施形態と同様に防犯キー３４Ｂに備えられている。
【００９６】
すなわち、第３実施形態の携帯電話機１Ｂでは、この携帯電話機１Ｂの防犯キー３４Ｂが、緊急事態である旨をブザーの発生やＬＥＤ３４ａの発光により周囲に報知するともに、携帯電話機１Ｂの本体または他の携帯電話機を用いて、緊急事態である旨を無線通信により報知する。
【００９７】
携帯電話機１Ｂにおいて防犯キー３４Ｂが抜かれて防犯機能が起動した際に、携帯電話機１Ｂの防犯キー３４Ｂが防犯処理を行う手順を、図１２に示すフローチャートに基づいて説明する。
【００９８】
まず、防犯キー３４Ｂの警報制御部６０は、携帯電話機１Ｂの本体から切り離されたか否かを判断する（Ｓ６０１）。切り離されていない場合（Ｓ６０１のＮｏ）は、警報制御部６０は、防犯処理を行わずにそのまま待機する。
【００９９】
切り離された場合（Ｓ６０１のＹｅｓ）は、警報制御部６０は、防犯キー３４Ｂの電源をＯｎにし、防犯機能を起動させる（Ｓ６０２）。また、警報制御部６０は、この防犯キー３４Ｂを防犯モードに設定する（Ｓ６０３）。
【０１００】
警報制御部６０は、ブザー発生部６１にブザーを継続的に発生させる（Ｓ６０４）。また警報制御部６０は、ＬＥＤ発光部６２によりＬＥＤ３４ａを継続的に発光させる（Ｓ６０５）。
【０１０１】
警報制御部６０は、所定の携帯電話機、例えば携帯電話機１Ｂの本体との無線リンクが可能か否かを判断する（Ｓ６０６）。すなわち、防犯キー３４Ｂの緊急通信部６４が携帯電話機１Ｂの本体の無線ＬＡＮモジュール５２にアクセスして緊急事態である旨を通信することが可能であるか否かを判断する。
【０１０２】
携帯電話機１Ｂの本体との無線リンクが可能な場合（Ｓ６０６のＹｅｓ）は、警報制御部６０は、この携帯電話機１Ｂの本体との無線リンクを接続する（Ｓ６０７）。そして、警報制御部６０は、この無線リンクを用いて、緊急事態である旨を示す緊急情報を携帯電話機１Ｂの本体に送信する（Ｓ６０８）。警報制御部６０は、緊急情報の送信を終えると、この携帯電話機１Ｂの本体との無線リンクの接続を解除する（Ｓ６０９）。
【０１０３】
また、携帯電話機１Ｂの本体との無線リンクが可能でない場合（Ｓ６０６のＹｅｓ）、すなわち、携帯電話機１Ｂの本体と防犯キー３４とが相互に無線リンクが張れない遠距離を隔てて隔離された場合等には、警報制御部６０は、近隣にある任意の携帯電話機を探してこの携帯電話機との無線リンクの接続を試みる。
【０１０４】
警報制御部６０は、近隣にある携帯電話機を探し、この近隣の携帯電話機との無線リンクが可能か否かを判断する（Ｓ６１０）。この携帯電話機との無線リンクが可能な場合（Ｓ６１０のＹｅｓ）は、警報制御部６０は、この携帯電話機との無線リンクを接続する（Ｓ６１１）。そして、警報制御部６０は、この無線リンクを用いて、緊急事態である旨を示す緊急情報を携帯電話機に送信する（Ｓ６１２）。なお、この緊急情報には、携帯電話機１の電話番号（識別番号）、あるいはメールアドレスなどが含まれている。そして、警報制御部６０は、緊急情報の送信を終えると、この携帯電話機との無線リンクの接続を解除する（Ｓ６１３）。
【０１０５】
また、近隣の携帯電話機が見つからなかった場合、及び近隣にある携帯電話機が見つかったがこの携帯電話機との無線リンクが可能でなかった場合（Ｓ６１０のＮｏ）は、警報制御部６０は、防犯キー３４Ｂが防犯モードに設定されているか否かを判断する（Ｓ６１４）。防犯モードに設定されている場合（Ｓ６１４のＹｅｓ）は、警報制御部６０は、Ｓ６０６に戻り、Ｓ６０６乃至Ｓ６１４の処理を再び行う。
【０１０６】
防犯モードに設定されていない場合（Ｓ６１４のＮｏ）、すなわち防犯キー３４Ｂの防犯モードが解除された場合は、警報制御部６０は、ブザー発生部６１がＳ６０４で発生させたブザーを停止させる（Ｓ６１５）。また、警報制御部６０は、ＬＥＤ発光部６２がＳ６０５で発光させたＬＥＤ３４ａを消灯により停止させる（Ｓ６１６）。
【０１０７】
最後に、警報制御部６０は、電源をＯｆｆにし、防犯処理を終了する（Ｓ６１７）。
【０１０８】
このようにして、防犯キー３４Ｂが携帯電話機１Ｂの本体から抜かれた場合に、防犯キー３４Ｂが、緊急事態である旨を周囲に知らせるためのブザー発生処理やＬＥＤ発光処理を行うとともに、携帯電話機１Ｂの本体を介して緊急事態である旨の送信処理を行う。
【０１０９】
次に、携帯電話機１Ｂにおいて防犯キー３４Ｂが抜かれて防犯機能が起動した際に、携帯電話機１Ｂの本体が防犯処理を行う手順を、図１３に示すフローチャートに基づいて説明する。
【０１１０】
まず、主制御部４１は、防犯キー３４Ｂが切り離されたか否かを判断する（Ｓ７０１）。切り離された場合（Ｓ７０１のＹｅｓ）は、主制御部４１は、この携帯電話機１Ｂを防犯モードに設定することにより、防犯機能を起動する（Ｓ７０２）。主制御部４１は、近隣の基地局（図示せず）から位置情報を取得する（Ｓ７０３）。また、主制御部４１は、Ｓ１０６で取得した位置情報をメールに添付して、防犯情報のメール送信先情報で指定された送信先に送信する（Ｓ７０４）。この際、記憶部４２に、緊急時に送信されるメールの内容が予め記憶されていると良い。
【０１１１】
主制御部４１は、携帯電話機１Ｂの本体が防犯モードに設定されているか否かを判断する（Ｓ７０５）。携帯電話機１Ｂの本体が防犯モードに設定されている場合（Ｓ７０５のＹｅｓ）は、主制御部４１は、Ｓ７０３に戻り、再びＳ７０３乃至Ｓ７０５の処理を行う。携帯電話機１Ｂの本体が防犯モードに設定されていない場合（Ｓ７０５のＮｏ）、すなわち携帯電話機１Ｂの本体の防犯モードが解除された場合は、主制御部４１は防犯処理を終了する。
【０１１２】
また、防犯キーが切り離されていない場合（Ｓ７０１のＮｏ）は、主制御部４１は、任意の携帯電話機の防犯キーによりＳ６０８またはＳ６１２にて送信された緊急情報を受信したか否かを判断する（Ｓ７０６）。緊急情報を受信していない場合（Ｓ７０６のＮｏ）は、主制御部４１はそのまま待機する。緊急情報を受信した場合（Ｓ７０６のＹｅｓ）は、主制御部４１は、この緊急情報が、所定の防犯キー（例えばこの携帯電話機１Ｂの防犯キー３４Ｂ）から送信された緊急情報であるか否かを判断する（Ｓ７０７）。
【０１１３】
この緊急情報が所定の防犯キーから送信されていない場合（Ｓ７０７のＮｏ）、例えばこの緊急情報が携帯電話機１Ｂ以外の他の携帯電話機の防犯ブザーから送信された場合は、主制御部４１は、この緊急情報に含まれる電話番号やメールアドレス等の情報により指定された送信先、あるいは予め指定されている所定の送信先（防犯センター等）に送信する（Ｓ７０８）。
【０１１４】
また、この緊急情報が所定の防犯キーから送信された場合（Ｓ７０８のＮｏ）、例えばこの緊急情報が携帯電話機１Ｂの防犯キー３４Ｂから送信された場合は、携帯電話機１Ｂのユーザが緊急事態に見舞われている可能性があるため、主制御部４１は、Ｓ７０２からＳ７０４の処理を行う。
【０１１５】
このようにして、防犯キー３４Ｂが抜かれた場合に、携帯電話機１Ｂの本体が、緊急事態である旨を知らせるためのメール送信処理を行うとともに、防犯キー３４Ｂが、近隣にある任意の携帯電話機に対して緊急情報を送信する送信処理を行う。
【０１１６】
なお、第３実施形態の携帯電話機１Ｂでは、防犯キー３４Ｂによりブザー発生処理やＬＥＤ発光処理が行われたが、防犯機能の起動を外部から隠蔽するために、このブザー発生処理及びＬＥＤ発光処理（Ｓ６０４、Ｓ６０５、Ｓ６１５、Ｓ６１６の処理）を省略しても良い。
【０１１７】
また、第３実施形態の携帯電話機１Ｂでは、防犯キー３４Ｂの携帯電話機１Ｂに対する着脱により防犯機能の起動・解除を行う例について説明したが、これに限らず、防犯キー３４Ｂと携帯電話機１Ｂの本体とを予め別個に形成し、防犯キー３４Ｂに起動スイッチを設けることにより、ユーザによるこの起動スイッチの起動に基づいて防犯機能の起動・解除を行っても良い。
【０１１８】
第３実施形態の携帯電話機１Ｂによると、この携帯電話機１Ｂの本体及び防犯キー３４Ｂの各々の防犯処理により、例えばユーザが犯罪等に巻き込まれて犯人に携帯電話機１Ｂを奪われたり壊されたりする恐れがあった場合においても、携帯電話機１Ｂの本体が緊急事態である旨をメール送信で報知するとともに、防犯キー３４Ｂが近隣にある任意の携帯電話機に対して無線通信で緊急情報を送信することにより、緊急状態である旨を報知することが可能となる。
【０１１９】
なお、ステップＳ６０８の処理が無線通信手段である。また、ステップＳ７０３の処理が取得手段であり、ステップＳ７０４の処理が位置情報送信手段であり、ステップＳ７０６の処理が受信手段であり、ステップＳ７０８の処理が緊急情報送信手段とするのが実施の一例である。
【０１２０】
本発明に係る携帯電話機１、１Ａ、１Ｂは、携帯電話機のみでなく、ＰＤＡ（Ｐｅｒｓｏｎａｌ  Ｄｉｇｉｔａｌ  Ａｓｓｉｓｔａｎｔ）、パーソナルコンピュータ、その他の情報処理装置にも適用することができる。また、ステップＳ１０６、ステップＳ４０４、ステップＳ７０３において取得する位置情報は近隣の基地局より得る旨を記載したが、これに限定することなく、ＧＰＳ衛星より取得し、計算された緯度経度などの位置情報であっても良い。
【０１２１】
また、本発明の実施形態において説明した一連の処理は、ソフトウェアにより実行させることもできるが、ハードウェアにより実行させることもできる。
【０１２２】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０１２３】
【図１】本発明に係る携帯電話機の外観図。
【図２】本発明に係る携帯電話機の外観図。
【図３】本発明に係る携帯電話機の外観図。
【図４】本発明に係る携帯電話機の防犯キーの外観図。
【図５】第１実施形態の携帯電話機の機能構成図。
【図６】第１実施形態の携帯電話機が防犯処理を行う手順を示すフローチャート。
【図７】第１実施形態の携帯電話機の防犯キーが防犯処理を行う手順を示すフローチャート。
【図８】第２実施形態の携帯電話機の機能構成図。
【図９】第２実施形態の携帯電話機が防犯処理を行う手順を示すフローチャート。
【図１０】第２実施形態の携帯電話機の防犯キーが防犯処理を行う手順を示すフローチャート。
【図１１】第３実施形態の携帯電話機の機能構成図。
【図１２】第３実施形態の携帯電話機が防犯処理を行う手順を示すフローチャート。
【図１３】第３実施形態の携帯電話機の防犯キーが防犯処理を行う手順を示すフローチャート。
【符号の説明】
【０１２４】
１、１Ａ、１Ｂ  携帯電話機
２１  ヒンジ部
２２  第１の筐体
２３  第２の筐体
２４  操作キー
２５  メインディスプレイ
２６  マイクロフォン
２７  サイドキー
２８  スピーカ
２９ａ乃至２９ｄ  磁気センサ
３０  ＣＣＤカメラ
３１  サブディスプレイ
３３  防犯キーガイド部
３４、３４Ａ、３４Ｂ  防犯キー
３４ａ、３６  ＬＥＤ
３５  バッテリパッグ
４１  主制御部
４２  記憶部
４３  電源回路部
４４  操作入力制御部
４５  ＬＣＤ制御部
４６  カメラインターフェース
４７  画像エンコーダ
４８  音声コーディック
４９  変復調回路部
５０  多重化分離部
５１  画像デコーダ
５２  無線ＬＡＮモジュール
５３  記録再生部
５４  防犯制御部
５５、６５  バス
５６  送受信回路部
５７  アンテナ
５８  メモリカード
６０  警報制御部
６１  ブザー発生部
６２  ＬＥＤ発光部
６３  電源回路部
６４  緊急通信部
【図１】
2008172451.tif 000003
【図２】
2008172451.tif 000004
【図３】
2008172451.tif 000005
【図４】
2008172451.tif 000006
【図５】
2008172451.tif 000007
【図６】
2008172451.tif 000008
【図７】
2008172451.tif 000009
【図８】
2008172451.tif 000010
【図９】
2008172451.tif 000011
【図１０】
2008172451.tif 000012
【図１１】
2008172451.tif 000013
【図１２】
2008172451.tif 000014
【図１３】
2008172451.tif 000015